(57)【要約】  ファブリック設置システム１は、壁又は天井に設置されるように適合された設置プロフィール４、及びファブリック２の縁部６を保持するように適合された、設置プロフィールに係合する少なくとも１つのファブリック保持要素５、を有する。設置プロフィール４の第１の支持面９及び第２の支持面１０が、ファブリック保持要素５の第１の脚部７及び第２の脚部８を弾性的に付勢することにより第１の支持面９及び第２の支持面１０にそれぞれ沿わせて摺動させるように第１の脚部７及び第２の脚部８を付勢することになるようなテーパ方向Ｔにおいて、相互にテーパ状になっており、それにより、テーパ方向Ｔに概して逆らう方向において、及び設置プロフィール４の長手方向Ｌに対して横向きであるファブリック引張方向Ｆにおいて、第１のファブリック保持要素を変位させ、それによりファブリック２をその保持位置において伸張状態にする。
2021518497.tif 000002
【特許請求の範囲】
【請求項１】
壁又は天井（３）の少なくも一部分を覆うようにファブリック（２）を延ばすように適合されたファブリック設置システム（１）であって、長手方向（Ｌ）を有し且つ前記壁又は天井（３）に設置されるように適合された第１の設置プロフィール（４）と、前記第１の設置プロフィール（４）と係合し且つ前記ファブリック（２）の第１の縁部（６）を保持するように適合された少なくとも１つの第１のファブリック保持要素（５）とを少なくとも有し、前記第１のファブリック保持要素（５）が、互い対して弾性的に付勢される第１の脚部（７）及び第２の脚部（８）を有し、それにより前記第１の脚部（７）が前記第１の設置プロフィール（４）の第１の支持面（９）に対して付勢され、また前記第２の脚部（８）が前記第１の設置プロフィール（４）の第２の支持面（１０）に対して付勢される、ファブリック設置システム（１）において、
前記第１の設置プロフィール（４）の前記第１の支持面（９）及び前記第２の支持面（１０）は、前記第１のファブリック保持要素（５）の前記第１の脚部（７）及び前記第２の脚部（８）の前記弾性的な付勢が、前記第１の脚部（７）及び前記第２の脚部（８）を前記第１の支持面（９）及び前記第２の支持面（１０）に沿ってそれぞれ摺動させるようにテーパ方向（Ｔ）に相互にテーパ状になっており、それにより前記テーパ方向（Ｔ）に概ね反する方向に、且つ前記第１の設置プロフィール（４）の前記長手方向（Ｌ）に対して横向きのファブリック引張方向（Ｆ）に前記第１のファブリック保持要素を変位させて、前記ファブリック（２）をその保持位置で伸ばすことを特徴とする、ファブリック設置システム（１）。
【請求項２】
前記第１のファブリック保持要素（５）は、該第１のファブリック保持要素（５）が前記第１の設置プロフィール（４）内で着脱自在に保持されたファブリック取り付け位置から、前記ファブリックの前記保持位置において引っ張られた前記ファブリック（２）の力が、前記第１のファブリック保持要素（５）を前記テーパ方向に概ね反する方向に、且つ前記ファブリック引張方向（Ｆ）に摺動させる前記第１のファブリック保持要素（５）の前記第１の脚部（７）及び前記第２の脚部（８）の弾性的な付勢と釣り合うファブリック引張位置まで、前記テーパ方向（Ｔ）に概ね反する方向に変位可能である、請求項１に記載のファブリック設置システム。
【請求項３】
前記第１のファブリック保持要素（５）は、前記第１のファブリック保持要素（５）の前記第１の脚部（７）又は前記第２の脚部（８）の自由端（１１、１２）が前記第１の設置プロフィール（４）の凹部（１３）に当接することで、前記ファブリック取り付け位置で着脱自在に保持される、請求項２に記載のファブリック設置システム。
【請求項４】
前記第１のファブリック保持要素（５）は、前記ファブリック（２）の第１の縁部（６）を前記第１のファブリック保持要素（５）と前記第１の設置プロフィール（４）との間に挟むことによって前記ファブリック（２）の前記第１の縁部（６）を保持するように適合されている、請求項１から３までのいずれか一項に記載のファブリック設置システム。
【請求項５】
前記第１のファブリック保持要素（５）は、前記ファブリック（２）の第１の縁部（６）を前記第１のファブリック保持要素（５）の前記第１の脚部（７）又は前記第２の脚部（８）と前記第１の設置プロフィール（４）の対応する前記第１の支持面（９）又は前記第２の支持面（１０）との間に挟むことによって前記ファブリック（２）の前記第１の縁部（６）を保持するように適合されている、請求項１から４までのいずれか一項に記載のファブリック設置システム。
【請求項６】
前記第１の設置プロフィール（４）の前記第１の支持面（９）及び前記第２の支持面（１０）が互いに向き合っている、請求項１から５までのいずれか一項に記載のファブリック設置システム。
【請求項７】
前記第１の設置プロフィール（４）の前記第１の支持面（９）及び前記第２の支持面（１０）は、前記第１のファブリック保持要素（５）が前記第１の設置プロフィール（４）内で保持されるチャネル（１６）の第１の側壁（１４）及び第２の側壁（１５）によってそれぞれ形成される、請求項１から６までのいずれか一項に記載のファブリック設置システム。
【請求項８】
前記第１の設置プロフィール（４）の前記チャネル（１６）の前記第１の側壁（１４）及び前記第２の側壁（１５）は前記チャネル（１６）の底部壁（１７）から延び、前記チャネル（１６）の前記第１の側壁（１４）は、前記チャネル（１６）の前記第２の側壁（１５）と比較して前記底部壁（１７）からさらに離れるところまで延び、且つ前記第１の側壁（１４）の自由縁部（１９）のところに前記ファブリック（２）を案内するように適合された円形縁部（１８）を形成している、請求項７に記載のファブリック設置システム。
【請求項９】
前記チャネル（１６）の前記第１の側壁（１４）は、前記チャネル（１６）の前記底部壁（１７）に対して鋭角（Ａ）を形成している、請求項８に記載のファブリック設置システム。
【請求項１０】
前記第１のファブリック保持要素（５）は略Ｖ形であり、且つ前記第１のファブリック保持要素（５）の前記第１の脚部（７）及び前記第２の脚部（８）を接続する湾曲縁部（２０）を形成しており、前記湾曲縁部（２０）と前記第１の脚部（７）の自由端（１１）との両方が前記第１の設置プロフィール（４）の前記第１の支持面（９）に当接し、それにより前記第１の支持面（９）と共に前記ファブリック（２）の前記第１の縁部（６）を挟むように適合されており、前記第２の脚部（８）の自由端（１２）は前記第１の設置プロフィール（４）の前記第２の支持面（１０）に当接する、請求項６から９までのいずれか一項に記載のファブリック設置システム。
【請求項１１】
前記ファブリック引張方向（Ｆ）は、少なくとも実質的に前記湾曲縁部（２０）から前記第１の脚部（７）の前記自由端（１１）の方向に向けられている、請求項１０に記載のファブリック設置システム。
【請求項１２】
前記第１のファブリック保持要素（５）の前記第１の脚部（７）は、前記第１の脚部（７）の前記自由端（１１）と前記湾曲縁部（２０）との間において、前記第１の設置プロフィール（４）の前記第１の支持面（９）から離れるように湾曲している（２１）、請求項１０又は１１に記載のファブリック設置システム。
【請求項１３】
前記第１のファブリック保持要素（５）の前記第１の脚部（７）は、前記第１のファブリック保持要素（５）の前記第２の脚部（８）より長い、請求項１０から１２までのいずれか一項に記載のファブリック設置システム。
【請求項１４】
前記第１のファブリック保持要素（５）の前記第２の脚部（８）は、前記第２の脚部（８）の前記自由端（１２）と前記湾曲縁部（２０）との間において、前記第１の設置プロフィール（４）の前記第２の支持面（１０）から離れるように湾曲している（２２）、請求項１０から１３までのいずれか一項に記載のファブリック設置システム。
【請求項１５】
前記少なくとも１つの第１のファブリック保持要素（５）は板ばね（２３）の形態を有し、前記板ばね（２３）は、前記第１の設置プロフィール（４）の前記長手方向（Ｌ）に延びる長手方向（ｌ）を有し、且つ前記第１の脚部（７）を形成する第１の長手方向フランジ（２４）と、前記第２の脚部（８）を形成する第２の長手方向フランジ（２５）とを有し、前記第１の長手方向フランジ（２４）及び前記第２の長手方向フランジ（２５）は湾曲縁部（２６）に沿って接続されている、請求項１から１４までのいずれか一項に記載のファブリック設置システム。
【請求項１６】
複数の相互に離間した切欠部（２７）が、前記板ばね（２３）の前記湾曲縁部（２６）に形成されている、請求項１５に記載のファブリック設置システム。
【請求項１７】
壁又は天井（３）の少なくとも一部分を覆うファブリック（２）を設置し且つ延ばす方法であって、
長手方向（Ｌ）を有する少なくとも第１の設置プロフィール（４）を前記壁又は天井（３）上に設置するステップと、
第１のファブリック保持要素（５）のファブリック取り付け位置において、前記第１のファブリック保持要素（５）と前記第１の設置プロフィール（４）との間に前記ファブリック（２）の第１の縁部（６）を挟むステップと
を含み、
前記第１のファブリック保持要素（５）は前記第１の設置プロフィール（４）に係合し、且つ互いに対して弾性的に付勢される第１の脚部（７）及び第２の脚部（８）を有しており、それにより前記第１の脚部（７）は前記第１の設置プロフィール（４）の第１の支持面（９）に対して付勢され、前記第２の脚部（８）は前記第１の設置プロフィール（４）の第２の支持面（１０）に対して付勢される、方法において、
前記第１のファブリック保持要素（５）をそのファブリック取り付け位置から解放するステップであって、それにより、前記第１のファブリック保持要素（５）の前記第１の脚部（７）及び前記第２の脚部（８）の前記弾性的な付勢が、前記第１のファブリック保持要素（５）を、テーパ方向（Ｔ）に概して反する方向に、且つ前記第１の設置プロフィール（４）の前記長手方向（Ｌ）に対して横向きのファブリック引張方向（Ｆ）に、前記第１の支持面（９）及び前記第２の支持面（１０）に沿って摺動させ、それにより前記ファブリック（２）が伸ばされるステップを特徴とする、方法。
【発明の詳細な説明】
【技術分野】
【０００１】
本発明は、壁又は天井の少なくも一部分を覆うファブリックを延ばすように適合されたファブリック設置システムに関し、このファブリック設置システムは、少なくとも、壁又は天井に設置されるように適合された、長手方向を有する第１の設置プロフィールと、ファブリックの縁部を保持するように適合された、第１の設置プロフィールに係合する少なくとも１つの第１のファブリック保持要素とを有し、第１のファブリック保持要素は、互い対して弾性的に付勢される第１の脚部及び第２の脚部を有し、第１の脚部は、第１の設置プロフィールの第１の支持面に対して付勢され、第２の脚部は、第１の設置プロフィールの第２の支持面に対して付勢される。
【背景技術】
【０００２】
ＮＬ２０１５４３９Ｂ１は、細長い受けスペースを画定するレールと、ロック部材とレールとの間でシート部分をクランプするための細長いくさび形状のロック部材とを有する、可撓性シートを伸張状態にするための又は設置するためのシステムを開示している。このシステムは、受けスペース内でロック部材が第１の端位置から第２の端位置に向かって少なくとも部分的に傾斜するのを可能にするように、構成され、第１の端位置では、ロック部材の第１の外側表面が受けスペースの第１の壁表面に実質的に平行であり及び／又はそれに実質的に当接し、また、ロック部材の第２の外側表面が第１の壁表面とは反対側の第２の壁表面から実質的に離間されており、第２の端位置では、第２のロック部材の外側表面が第２の壁表面に実質的に平行であり及び／又はそれに実質的に当接し、また、第１のロック部材の外側表面が第１の壁表面から実質的に離間される。それにより、ロック部材がその第１の端位置すなわちロック位置から中間位置を介してその第２の端位置まで枢動させられ得、中間位置では、ロック部材の２つの外側表面、及び／又はロック部材を囲むシート材料が、それぞれの壁表面から実質的に離れて配置され、その結果、シート材料が受けスペース内でロック部材に沿う形で比較的に容易に移動又は通過させられ得る。受けスペースの第１及び第２の壁表面が平行であり、ロック部材の第１及び第２の外側表面がテーパ状になっており、それによりロック部材のくさび形状を形成する。このシステムは設置手順中に可撓性シートを適切な伸張状態にすることを目的として可撓性シートを調整するのを容易にするが、このシステムでは可撓性シートが適切な伸張状態で維持されることが保証されないことが不利である可能性がある。したがって、可撓性シート及び／又は可撓性シートを設置するところのレールが例えば温度変化を原因として又は他の環境を原因として寸法を変化させる可能性がある場合、また例えば、取り扱いなどの結果としてレールが意図されずにわずかに変形する場合、可撓性シートがそのテンションを失う可能性があり、外観が損なわれる可能性がある。また、可撓性シートが弾性の性質を有さない場合、このシステムによりシートに適切に張力を加えた状態を維持することが困難となる可能性があるか又はさらには不可能となる可能性がある。
【０００３】
ＤＥ２０２００９００５７５３Ｕ１は、ファブリックなどのための同様の設置システムを開示している。このシステムは、ベース成形品及びクランプ部材から構成される。ベース成形品は、クランプ部材のための平行な支持面を有する受けスペースを形成する。クランプ部材は２つ弾性脚部を有するＶ形であり、２つの弾性脚部は、受けスペースの中にクランプ部材を挿入するときに、互いの方に押圧される。設置されることになるファブリックは、受けスペースの中にクランプ部材を挿入する前にクランプ部材の上に緩んだ状態で配置され、その結果、受けスペースの中にクランプ部材を挿入するときにファブリックがクランプ部材の脚部と受けスペースの平行な支持脚部との間に挟まれる。クランプ部材は最初にそのＶ形の頂部のところで受けスペースの中に挿入され、それによりへら又は同様のものがクランプ部材の２つの脚部の間に配置され得、受けるためのスペースの中にクランプ部材を押圧するのに使用され得る。クランプ部材の設置位置においてクランプ部材の一方の脚部が受けスペースの突出部に当接し、その結果、クランプ部材がその設置位置で保持される。上記脚部から延在するファブリックなどの縁部を引くことにより、クランプ部材の脚部が互いの方に押圧され得、それによりクランプ部材及びファブリックをベース成形品から再び外すことが可能となる。しかし、このシステムでは、上で説明したものと同じ理由で、ファブリック又はシートに適切に張力を加えた状態を、少なくとも長時間にわたっては、維持することが困難となる可能性があるか又はさらには不可能となる可能性がある。
【０００４】
特開２０１０−２６８７３６号公報は、フィルム屋根構造（ｆｉｌｍ  ｒｏｏｆ  ｓｔｒｕｃｔｕｒｅ）で使用されるフィルム固定具を開示している。フィルム固定具は、フィルム取り付け部材と、フィルム取り付け部材の中に形成されるチャネルの中に挿入部材を挿入することによりフィルムをフィルム取り付け部材に固定するように適合される挿入部材と、を有する。挿入部材はＶ形であり、そのＶ形の頂部が最初にチャネルの中に挿入され、設置時に挿入方向のチャネルの中の方を指している。チャネルの開口部のところに突出部が構成されており、挿入部材の設置位置においてこの突出部の上で挿入部材の一方の脚部の自由端が静止し、それにより挿入部材がチャネル内で保持される。実施例では、チャネルの側壁がチャネルの挿入方向においてテーパ状になっている。しかし、このシステムでは、すぐ上で説明したものと同じ理由で、ファブリック又はシートに適切に張力を加えた状態を、少なくとも長時間にわたっては、維持することが困難となる可能性があるか又はさらには不可能となる可能性がある。
【０００５】
ＫＲ１０１０１８７３０Ｂ１は、照明器具のストレッチ・シート布設構造を開示している。シートは、その縁部のところに固定部材を装備し、固定部材は、例えば溶接又は接着によりシートに永久的に固定される。固定部材は２つの弾性脚部を有するＶ形であり、２つの弾性脚部は、固定プロフィールのチャネルの中に挿入されるときに、互いの方に押圧される。チャネルは、固定部材の挿入方向においてテーパ状になっており、固定プロフィールのチャネルの中に固定部材が配置されるときに固定部材のＶ形がやはり挿入方向にテーパ状になる。固定部材の脚部のうちの一方の脚部は、固定部材をチャネルの中に配置するときにチャネルの突出部に係合する凹部を有し、その結果、固定部材がチャネル内で保持される。しかし、このシステムでは、すぐ上で説明したものと同じ理由で、ファブリック又はシートに適切に張力を加えた状態を、少なくとも長時間にわたっては、維持することが困難となる可能性があるか又はさらには不可能となる可能性がある。さらに、設置手順が複雑となる可能性があるため、ストレッチ・シートがその縁部のところに永久的に固定される固定部材を装備する必要があることは、不利である可能性がある。
【０００６】
ＫＲ１００９３２９５７Ｂ１は、延性を有さないシートに張力を加えた状態で維持するために設けられる天井仕上げシート（ｃｅｉｌｉｎｇ  ｆｉｎｉｓｈｉｎｇ  ｓｈｅｅｔ）の布設構造を開示している。シートは、その縁部のところに固定部材を装備し、固定部材は、例えば溶接又は接着によりシートに永久的に固定される。固定部材は２つの弾性脚部を有し、２つの弾性脚部は、固定プロフィールのチャネルの中に挿入されるときに、互いの方に押圧される。チャネルは、固定部材のそれぞれの脚部のための対向する平行な２つの支持面を有する。固定部材の設置位置において固定部材の一方の脚部の自由端がチャネルの突出部に当接し、その結果、固定部材がチャネルの中でその設置位置で保持される。実施例では、固定部材の上記脚部の自由端は、固定部材の挿入方向において、チャネルの対応する支持面上に規則的に形成される複数の異なる窪みに当接し得る。窪みが小さい支持壁部分を形成し、これらの小さい支持壁部分の各々が、固定部材の挿入方向において、チャネルの対向する支持面を基準としてテーパ状となる。それにより、固定部材を適切に配置することにより、延性を有さないシートに張力が加えられ得る。しかし、このシステムでは、上で説明したものと同じ理由で、ファブリック又はシートに適切に張力を加えた状態を、少なくとも長時間にわたっては、維持することが困難となる可能性があるか又はさらには不可能となる可能性がある。さらに、設置手順が複雑となる可能性があるため、シートがその縁部のところに永久的に固定される固定部材を装備する必要があることは、不利である可能性がある。
【０００７】
ＥＰ００４３４６６Ａ２は、少なくとも部分的に伸縮性を有するシートを有するクランプインの天井のデザインを開示しており、少なくとも部分的に弾性を有するシートの縁部領域にクランプ・フランジが固定され、クランプ・フランジがプラスチックで作られており、壁上に位置する壁ストリップの溝の中に挿入されて確実に係止され得る。クランプ・フランジは実質的にアンカー形状の断面を有し、したがって、シートに永久的に固定される中央ウェブと、上側保持ビードと、下側保持ビードとを有する。溝は、少なくとも１つの上側の又は少なくとも１つの下側のリング・ショルダを装備し、クランプ・フランジの２つの保持ビードは、壁ストリップの溝の中に挿入されるときに変形させられて溝の内部でのその係止位置にくるように、成形されている。しかし、このシステムでは、上で説明したものと同じ理由で、ファブリック又はシートに適切に張力を加えた状態を、少なくとも長時間にわたっては、維持することが困難となる可能性があるか又はさらには不可能となる可能性がある。さらに、設置手順が複雑となる可能性があるため、シートがその縁部のところに永久的に固定される固定部材を装備する必要があることは、不利である可能性がある。
【０００８】
ＷＯ２００４／０６１２５１Ａ１は、ボディと、ボディに結合されるファブリック握持用あご部構成と、を有するファブリック保持構造を開示している。あご部構成は、円鋸歯状の歯を有する円鋸歯状のあご部と、鋸歯状の歯を有する鋸歯状のあご部と、を有する。円鋸歯状のあご部は、鋸歯状のあご部に対向するように配置される。しかし、このシステムでは、ファブリック又はシートに適切に張力を加えた状態を、少なくとも長時間にわたって、維持することが困難となる可能性があるか又は不可能となる可能性がある。
【０００９】
ＷＯ２０１７／０８３１８１Ａ１は、すぐ上で説明した種類のファブリック保持構造を組み込む、内部スペース内で吊り下げられる天井構造を有する天井システムを開示している。
【００１０】
ＫＲ２０１１００８４７１９Ａは、天井のところにストレッチ・シートを設置することに関連する。ストレッチ・シートは伸縮性及び弾性を有する材料で作られ、その縁部のところに、シートに固定される固定部材を装備し、固定部材は２つの弾性脚部を有し、２つの弾性脚部は、固定プロフィールのチャネルの中に挿入されるときに互いの方に押圧される。チャネルは、固定部材の設置位置において、固定部材のそれぞれの脚部に当接するための第１の支持面及び第２の支持面を有する。第１の支持面及び第２の支持面は平行である。第１の支持面は、シートの延在位置においてシートを支持する縁部を有する下方に延在する傾斜部分を装備する。固定プロフィールのチャネル内でのその保持位置では、第２の支持面の固定用突出部が固定部材の第２の脚部上に溝に係合することにより、固定部材が固定位置で維持される。
【００１１】
ＷＯ９９／２４７２２は、固定装置に設置されるように構成されるフォーク手段であって、上記フォーク手段が、接合手段によって接合される少なくとも２つのアームを有し、上記アームが、上記接合手段から一定の領域で離間される、フォーク手段と、維持手段と上記フォーク手段との間でシート材料の一部分を保持するために上記フォーク手段の中に挿入可能である、実質的に弾性を有する維持手段と、を有するシート材料固定具を開示している。さらに、上記フォーク手段内で上記維持手段を再配置することにより上記シート材料内の張力を制御するのを可能にするためのテンション制御手段が提供される。
【００１２】
ＷＯ８８／０３２３１は、固定装置に設置されるフォーク部材であって、上記フォーク部材が一対の外側に分岐するアームを有し、一方のアームが、アームの間の接合部を基準としてアームに沿って遠位側に配置される内側を向くフック手段内に設けられる、フォーク部材と、アームの間のロック位置を取ることができる、アームの間でフォーク部材の中に配置される維持手段と、を有する被覆材料のための固定手段を開示している。
【００１３】
ＦＲ２３１７５３７は、Ｃ形断面の支持具内でシート材料を保持する長い挿入具を開示している。挿入具自体は、湾曲ウェブによって接合される１つの長いフランジ及び１つの短いフランジを有するＣ形である。支持具の縁部がその対応するウェブの方に湾曲するのと同様に、短いフランジが長いフランジの方へ内側に湾曲している。フランジに跨る挿入具の幅は、少なくとも、支持フランジとウェブとの間の最小の内部の隙間に等しくなるように作られ、組み立て時に挿入具が可撓性材料を保持する。この材料は支持セクションを横断するように定位置に配置され、挿入具の短いフランジにより溝の中へ下方に押圧される。次いで、挿入具が、その長いフランジを支持具のウェブに接触させるまで、回転させられる。
【先行技術文献】
【特許文献】
【００１４】
【特許文献１】ＮＬ２０１５４３９Ｂ１
【特許文献２】ＤＥ２０２００９００５７５３Ｕ１
【特許文献３】特開２０１０−２６８７３６号公報
【特許文献４】ＫＲ１０１０１８７３０Ｂ１
【特許文献５】ＫＲ１００９３２９５７Ｂ１
【特許文献６】ＥＰ００４３４６６Ａ２
【特許文献７】ＷＯ２００４／０６１２５１Ａ１
【特許文献８】ＷＯ２０１７／０８３１８１Ａ１
【特許文献９】ＫＲ２０１１００８４７１９Ａ
【特許文献１０】ＷＯ９９／２４７２２
【特許文献１１】ＷＯ８８／０３２３１
【特許文献１２】ＦＲ２３１７５３７
【発明の概要】
【発明が解決しようとする課題】
【００１５】
本発明の目的は、簡素なファブリック設置システムを提供することであり、それにより、任意の長さのファブリック又はシートが壁又は天井のところに容易に設置されて延ばされ得、さらには、ファブリック又はシートに適切に張力を加えることが長時間にわたって保証される。
【課題を解決するための手段】
【００１６】
この目的を鑑みて、第１の設置プロフィールの第１及び第２の支持面は、第１のファブリック保持要素の第１及び第２の脚部を弾性的に付勢することにより第１及び第２の支持面にそれぞれ沿わせて摺動させるように第１及び第２の脚部を付勢することになるようなテーパ方向において、相互にテーパ状になっており、それにより、テーパ方向に概して逆らう方向において、及び第１の設置プロフィールの長手方向に対して横向きであるファブリック引張方向において、第１のファブリック保持要素を変位させ、それによりファブリックをその保持位置において伸張状態にする。
【００１７】
このようにして、例えば設置プロフィールがわずかに変形することの結果としてファブリックの初期のテンションが低下する場合に、第１のファブリック保持要素の第１及び第２の脚部を弾性的に付勢することの影響下で、ファブリックの保持位置において、第１のファブリック保持要素は、テーパ方向の概して反対側に、及びファブリック引張方向に、移動することができる。一方、伸張状態のファブリックの表面に対して例えば何らかの物体が意図されずに押圧されることの結果としてファブリックのテンションが増大する場合、第１のファブリック保持要素は、第１のファブリック保持要素の第１及び第２の脚部を弾性的に付勢することに逆らってファブリック引張方向の反対方向に移動することができる。それにより、製品の寿命の間においては永続的に、ファブリックに適切に張力を加えることが保証され得る。
【００１８】
実施例では、第１のファブリック保持要素を第１の設置プロフィール内で着脱自在に保持する位置であるファブリック取り付け位置から、テーパ方向に概して逆らう方向において及びファブリック引張方向において第１のファブリック保持要素を摺動させるように付勢する第１のファブリック保持要素の第１及び第２の脚部の弾性的な付勢に対して、ファブリックの保持位置において張力を加えられるファブリックの力を釣り合わせる位置であるファブリック引張位置まで、第１のファブリック保持要素がテーパ方向に概して逆らう方向に変位可能である。それにより、ファブリックに大きいテンションを加えることなく第１のファブリック保持要素によりファブリックが設置プロフィールに取り付けられ得、次いで、ファブリックに比較的大きいテンションを加えることを目的として第１のファブリック保持要素がファブリック取り付け位置から解放され得、それによりファブリックが適切な伸張状態にされ得る。大きいテンションを直接に加えることなく、例えばファブリックの長さを調整することにより、ファブリックを正確に設置して配置することが容易になり得る。さらに、こうすることで、ファブリックの比較的大きい張力を得ることが可能となり得る。
【００１９】
構造的に特に有利な実施例では、第１のファブリック保持要素の第１又は第２の脚部の自由端が第１の設置プロフィールの凹部に当接することで、第１のファブリック保持要素がファブリック取り付け位置で着脱自在に保持される。それにより、第１の設置プロフィールの上記凹部に当接している第１のファブリック保持要素の脚部を押圧して脚部の自由端を上記凹部から離すように変位させることにより、第１のファブリック保持要素がファブリック取り付け位置から容易に解放され得る。
【００２０】
実施例では、第１のファブリック保持要素は、ファブリックの第１の縁部を第１のファブリック保持要素と第１の設置プロフィールとの間に挟むことによりファブリックの第１の縁部を保持するように適合される。それにより、設置手順中に、ファブリックを適切な長さに切断してファブリック設置システムの中に正確に設置することができ、それにより、第１のファブリック保持要素と第１の設置プロフィールとの間にファブリックの第１の縁部を押圧することによりファブリックの正確な配置が無段階的に調整できるので、ファブリックの長さが壁又は天井のサイズに合うように容易にカスタマイズされ得る。
【００２１】
構造的に特に有利な実施例では、第１のファブリック保持要素は、第１のファブリック保持要素の第１又は第２の脚部と第１の設置プロフィールの対応する第１又は第２の支持面との間にファブリックの第１の縁部を挟むことによりファブリックの第１の縁部を保持するように適合される。
【００２２】
実施例では、第１の設置プロフィールの第１及び第２の支持面が互いの方を向いている。それにより、第１のファブリック保持要素が有利には第１の支持面と第２の支持面との間に少なくとも部分的に隠され得る。
【００２３】
実施例では、第１の設置プロフィールの第１及び第２の支持面は、第１の設置プロフィールの中で第１のファブリック保持要素を保持するところであるチャネルの第１及び第２の側壁によりそれぞれ形成される。それにより、第１のファブリック保持要素が有利にはチャネル内で少なくとも部分的に隠され得る。
【００２４】
実施例では、第１の設置プロフィールのチャネルの第１及び第２の側壁がチャネルの底部壁から延在し、チャネルの第１の側壁が、チャネルの第２の側壁と比較して底部壁からさらに離れるところまで延在し、第１の側壁の自由縁部のところでファブリックを誘導するように適合された円形縁部を形成する。それにより、ファブリックは、チャネルの幾何形状により得られるファブリック引張方向とは別の方向に延ばされ得る。例えば、ファブリックは、壁又は天井に平行に延ばされ得、チャネルがファブリックにより少なくとも部分的に隠されるように配置され得る。
【００２５】
実施例では、チャネルの第１の側壁がチャネルの底部壁を基準として鋭角を形成する。それにより、底部壁が壁又は天井に平行に設置される場合、ファブリックによりチャネルをより良好に隠すことが可能となり得る。
【００２６】
実施例では、第１のファブリック保持要素は略Ｖ形であり、その第１及び第２の脚部を接続する湾曲縁部を形成し、湾曲縁部と第１の脚部の自由端との両方が第１の設置プロフィールの第１の支持面に当接し、それにより第１の支持面と共にファブリックの第１の縁部を挟むように適合され、第２の脚部の自由端が第１の設置プロフィールの第２の支持面に当接する。それにより、湾曲縁部と第１の脚部の自由端との両方が挟み込み作用に寄与することができるので、ファブリックの第１の縁部が挟み込み作用によりより良好に保持され得る。
【００２７】
構造的に特に有利な実施例では、ファブリック引張方向は、少なくとも、実質的に湾曲縁部から第１の脚部の自由端の方向を向く。
【００２８】
実施例では、第１のファブリック保持要素の第１の脚部は、その自由端と湾曲縁部との間において、第１の設置プロフィールの第１の支持面から離れるように湾曲している。それにより、第１の脚部の自由端が第１の支持面上のファブリックを基準として鋭角を形成することができ、それにより第１の脚部の自由端の縁部の形態で比較的小さい面積に作用する集中的な比較的大きい圧力を生じさせることができるので、間にファブリックを置いた状態で第１の支持面に当接する第１の脚部の自由端により特に有利な挟み込み効果が得られ得る。
【００２９】
実施例では、第１のファブリック保持要素の第１の脚部は、第１のファブリック保持要素の第２の脚部より長い。それにより、第１のファブリック保持要素が第１の設置プロフィールのチャネル内の有利な安定位置においてそれ自体で適切にバランスをとることができ、その結果、間にファブリックを置いた状態で湾曲縁部と第１の脚部の自由端との両方が第１の設置プロフィールの第１の支持面に当接し、その結果、ファブリックの第１の縁部が第１の支持面のところで強く挟まれることになる。
【００３０】
実施例では、第１のファブリック保持要素の第２の脚部は、その自由端と湾曲縁部との間において、第１の設置プロフィールの第２の支持面から離れるように湾曲している。それにより、第２の脚部の自由端が適切な角度で第２の支持面に当接することができので第２の支持面に沿ってより容易に摺動することができ、その結果、設置システムのセルフテンショニング効果を向上させることが保証され得る。
【００３１】
構造的に特に有利な実施例では、少なくとも１つの第１のファブリック保持要素は、第１の脚部を形成する第１の長手方向フランジと、第２の脚部を形成する第２の長手方向フランジと、を有する、第１の設置プロフィールの長手方向に延びる長手方向を有する板ばねの形態を有し、第１の長手方向フランジ及び第２の長手方向フランジが湾曲縁部に沿って接続される。
【００３２】
実施例では、複数の相互に離間される切欠部が板ばねの湾曲縁部の中に形成される。それにより、特には、板ばねが比較的長い場合では、切欠部が板ばねに一定の可撓性を付与することができ、それにより、例えば第１の長手方向フランジを第２の長手方向フランジの方向に押圧することにより板ばねをそのファブリック取り付け位置から解放するのを容易にし、その結果、第１の長手方向フランジが第１の設置プロフィールの中の適切な凹部との当接状態から飛び出す。その長手方向軸を中心として捻じれるための板ばねの能力により、有利には、この作業が容易となり得る。
【００３３】
本発明は、壁又は天井の少なくとも一部分を覆うようにファブリックを設置して延ばす方法にさらに関連し、この方法は、長手方向を有する少なくとも第１の設置プロフィールを壁又は天井の上に設置するステップと、第１のファブリック保持要素のファブリック取り付け位置において、第１のファブリック保持要素と第１の設置プロフィールとの間にファブリックの第１の縁部を挟むステップと、を含み、第１のファブリック保持要素は第１の設置プロフィールに係合し、互いに対して弾性的に付勢される第１の脚部及び第２の脚部を有し、第１の脚部は、第１の設置プロフィールの第１の支持面に対して付勢され、第２の脚部は、第１の設置プロフィールの第２の支持面に対して付勢される。
【００３４】
この方法は、第１のファブリック保持要素をそのファブリック取り付け位置から解放することを特徴とし、その結果、第１のファブリック保持要素の第１及び第２の脚部が弾性的に付勢されることにより、第１のファブリック保持要素が、テーパ方向に概して逆らう方向において、及び第１の設置プロフィールの長手方向に対して横向きであるファブリック引張方向において、第１及び第２の支持面に沿って摺動するように付勢され、その結果、ファブリックが伸張状態にされる。
【００３５】
次に、以下で、非常に概略的である図面を参照して、実施例の実例により本発明をより詳細に説明する。
【図面の簡単な説明】
【００３６】
【図１】本発明によるファブリック設置システムの第１の実施例を示す断面図である。
【図２】図１のファブリック設置システムを示す分解斜視図である。
【図３Ａ】図１のファブリック設置システムによりファブリックが延ばされ得る設置手順のステップを示す図である。
【図３Ｂ】図１のファブリック設置システムによりファブリックが延ばされ得る設置手順のステップを示す図である。
【図３Ｃ】図１のファブリック設置システムによりファブリックが延ばされ得る設置手順のステップを示す図である。
【図３Ｄ】図１のファブリック設置システムによりファブリックが延ばされ得る設置手順のステップを示す図である。
【図４Ａ】本発明によるファブリック設置システムの第２の実施例によりファブリックが延ばされ得る設置手順のステップを示す図である。
【図４Ｂ】本発明によるファブリック設置システムの第２の実施例によりファブリックが延ばされ得る設置手順のステップを示す図である。
【図５Ａ】本発明によるファブリック設置システムの第３の実施例によりファブリックが延ばされ得る設置手順のステップを示す図である。
【図５Ｂ】本発明によるファブリック設置システムの第３の実施例によりファブリックが延ばされ得る設置手順のステップを示す図である。
【図６】本発明によるファブリック設置システムの第４の実施例を示す断面図である。
【図７】本発明によるファブリック設置システムの第５の実施例を示す断面図である。
【発明を実施するための形態】
【００３７】
図１は、本発明によるファブリック設置システム１の実施例を示しており、ファブリック設置システム１によりファブリック２又はテキスタイルが延ばされる。図３Ａから図３Ｄに示されるように、ファブリック２は壁又は天井３を覆うことができる。図では、説明のために、ファブリック２が壁又は天井３の上方で延びている状態で示されるが、天井が覆われる事例では、ファブリックがもちろん壁又は天井３の下方に配置されることになる、ことに留意されたい。
【００３８】
ファブリック設置システム１は、少なくとも、図２に示されるように長手方向Ｌを有する第１の設置プロフィール４を有し、第１の設置プロフィール４は、第１の設置プロフィール４の中の設置用孔２９を通して挿入される設置用ねじにより図３Ａから図３Ｄに示されるように壁又は天井３に設置されるように適合される。長手方向Ｌは直線であっても又は曲線であってもよい。別法として、第１の設置プロフィール４は、釘又は接着剤などの、また可能性としてその組み合わせなどの、他の任意適切な手段により、壁又は天井３に設置され得る。ファブリック設置システム１は、ファブリック２の第１の縁部６を保持するように適合された、第１の設置プロフィール４に係合する少なくとも１つの第１のファブリック保持要素５をさらに有する。第１のファブリック保持要素５は、互いに対して弾性的に付勢される第１の脚部７及び第２の脚部８を有し、第１の脚部７は、第１の設置プロフィール４の第１の支持面９に対して付勢され、第２の脚部８は、第１の設置プロフィール４の第２の支持面１０に対して付勢される。
【００３９】
第１の設置プロフィール４の第１の支持面９及び第２の支持面１０は、第１のファブリック保持要素５の第１の脚部７及び第２の脚部８を弾性的に付勢することにより第１の脚部７及び第２の脚部８を付勢して第１の支持面９及び第２の支持面１０にそれぞれ沿わせて摺動させることになるようなテーパ方向Ｔにおいて、相互にテーパ状になっており、それにより、テーパ方向に概して逆らう方向において、及び第１の設置プロフィール４の長手方向Ｌに対して横向きであるファブリック引張方向Ｆにおいて、第１のファブリック保持要素を変位させ、それにより図１に示されるようにファブリック２をその保持位置において伸張状態にする。第１のファブリック保持要素５がその変位中に変形する、すなわち図１の実施例では第１のファブリック保持要素５の第１の脚部７及び第２の脚部８が互いから離れるように湾曲するので、第１のファブリック保持要素５の変位の方向が図では正確ではない、ことを理解されたい。むしろ、第１のファブリック保持要素５がテーパ方向Ｔに概して逆らう方向において及びファブリック引張方向Ｆにおいて変位させられる場合、第１のファブリック保持要素５は概して、少なくとも実質的にテーパ方向Ｔの反対の方向に全体として変位させられ、ファブリック保持要素５の少なくとも一部分がファブリック引張方向Ｆに変位させられる、ことを意味している、ことを理解されたい。図１の実施例では、ファブリック保持要素５の上記一部分がファブリック引張方向Ｆにおいて変位させられる第１の脚部７であることが分かる。
【００４０】
好適には、図１から５の実施例に示されるように、第１のファブリック保持要素５は、第１の設置プロフィール４において第１のファブリック保持要素５が着脱自在に保持される位置である図３Ｂ、図３Ｃ、図４Ａ、及び図５Ａに示されるファブリック取り付け位置から、図１、図３Ｄ、図４Ｂ、及び図５Ｂに示されるファブリック引張位置まで、テーパ方向Ｔに概して逆らう方向に変位可能であり、ファブリック引張位置では、ファブリックの保持位置における張力を加えられるファブリック２の力は、第１のファブリック保持要素５の第１の脚部７及び第２の脚部８を、テーパ方向に概して逆らう方向において、及びファブリック引張方向Ｆにおいて、第１のファブリック保持要素５を摺動させるように付勢する第１のファブリック保持要素の第１及び第２の弾性的な付勢に釣り合っている。
【００４１】
一方、図６及び図７に示される本発明による実施例では、第１のファブリック保持要素５はファブリック取り付け位置で保持可能ではない。むしろ、図６の実施例では、第１のファブリック保持要素５は、ファブリック２の第１の縁部６を中に配置しているところの第１の設置プロフィール４のチャネル１６の中に単純に挿入され得、それにより、第１のファブリック保持要素５がファブリック２の第１の縁部６を挟んで、同時に図１に示される方向に対応するファブリック引張方向Ｆにそれ自体が変位することによりファブリック２を伸張状態にする。図７の実施例では、ファブリック２の第１の縁部６が上で説明した任意適切な手段により第１のファブリック保持要素５に取り付けられており、次いで、第１のファブリック保持要素５が示されるように第１の設置プロフィール４を上から握持するように配置されており、これが、第１のファブリック保持要素５の脚部７及び８を変形させること、又は第１のファブリック保持要素５を、第１の設置プロフィール４の端部から第１の設置プロフィールの上を摺動させること、のいずれかによって行われる。ファブリック引張方向におけるファブリックの長さが適切であることにより、及び第１の設置プロフィール４を適切に配置することにより、第１のファブリック保持要素５は、図に示されるように第１の設置プロフィール４の上に概して配置され得、それにより、テーパ状の第１の支持面９及び第２の支持面１０をそれぞれ押圧する第１の脚部７及び第２の脚部８の弾性的な付勢によりファブリック２に張力が加えられ得る。
【００４２】
好適には、ファブリック設置システム１は、第１の設置プロフィール４から一定の距離のところで壁又は天井３のところに配置されて設置される示されない第２の設置プロフィールを有し、この第２の設置プロフィールは好適には、ファブリック２に対して垂直に延在する平面を基準として第１の設置プロフィールと対称であり、この平面は図１では垂直平面である。この事例では、ファブリック設置システム１は、第１の設置プロフィール４及び第１のファブリック保持要素５の場合の図１に示されるのと同様の手法でファブリック２の第２の縁部を保持するように適合された、第２の設置プロフィールに係合する少なくとも１つの第２のファブリック保持要素をさらに有する。この事例では、ファブリック２の第２の縁部がファブリック２の第１の縁部６の反対にあってよい。しかし、本発明によると、第１の設置プロフィールに対応する第２の設置プロフィールは必須ではない。その理由は、ファブリック２は、他の設置手段により、また可能性としてより単純な設置手段により、その縁部のうちの１つ又は複数の他の縁部のところにおいて壁又は天井３に設置されてよく、第１のファブリック保持要素５の引張作用のみによって伸張状態にされ得る、からである。例えば、ファブリック２のこれらの他の縁部は、ステープルにより壁又は天井３に単純に取り付けられ得る。第１のファブリック保持要素５が第１の設置プロフィール４のファブリック引張方向Ｆに摺動するように付勢されるので、ファブリック２の反対側の第２の縁部がどのように壁又は天井３に設置されているかとは無関係に、ファブリック２がその保持位置において伸張状態にされることになる。
【００４３】
また、可能性として、第１及び第２の設置プロフィールは、建物の角部のいずれかの側に配置され得、それによりファブリックが角部に沿って延在することができ、ここでは、ファブリックが、好適には、例えば角部のところで壁又は天井に設置されるプロフィールの上に設けられる円形縁部により、支持され得る。
【００４４】
ファブリック設置システム１は、長方形のファブリック部片を保持することができるフレームを一体に形成するような、各々が少なくとも１つのファブリック保持要素を有する４つの対応する設置プロフィールを有することができる。これらの設置プロフィールは、角部のところで、ファブリックを延ばすための滑らかな移行部分を形成する示されない適切な角部の部片によって接続され得る。同様の手法で、各々が少なくとも１つの保持要素を有する任意適切な数の対応する設置プロフィールが、対応するファブリック部片を保持することができるフレームを一体に形成することができる。例えば、フレームは、五角形、六角形、又は任意適切な他の多角形の形状を有することができる。さらに、設置プロフィールが湾曲していてもよく、それにより、対応するファブリック保持要素も対応する形で湾曲していてよい。例えば、１つの設置プロフィールは、円形、楕円形、又は他の閉じた形状を形成することができ、それにより対応する形状のファブリック部片を延ばすことができる。
【００４５】
本発明によると、１つ又は複数の対応する第１のファブリック保持要素と共に、図に示されるファブリック設置システム１が１つの長さの又は複数の長さの第１の設置プロフィール４として販売され得ることが有利である可能性がある。建物の現場で、第１の設置プロフィール４の長さが、ファブリック２をその中で又はその上で延ばすことになる建物の実際の寸法に対応する適切なサイズの設置プロフィールとなるように切断され得る。このようにして、延ばされたファブリックは、建物の部屋に合うようにオーダーメードの形で配置され得る。第１のファブリック保持要素５が第１の設置プロフィール４と等しい長さを有するように適合されるような事例では、それに対応して、第１のファブリック保持要素が適切なサイズとなるように切断され得る。別法として、第１のファブリック保持要素は、設置プロフィールの長手方向Ｌにおいて順々に配置されるように適合される、第１の設置プロフィール４の長さよりも短い長さを各々が有する複数のファブリック保持要素として提供され得る。
【００４６】
第１の設置プロフィール４は、図３Ｂに示されるようにファブリック取り付け位置に既に設置された１つ又は複数の対応する第１のファブリック保持要素５と共に販売され得、第１の設置プロフィール４及び対応する第１のファブリック保持要素５が１つのユニットとして適切な長さとなるように切断され得る。
【００４７】
図３Ａに示されるように、別法として、第１の設置プロフィール４が１つ又は複数の対応する第１のファブリック保持要素５とは別個に提供されてもよく、次いで、これらの要素が設置手順中に組み立てられてよく、それにより第１の設置プロフィール４が壁又は天井３に設置される。
【００４８】
建物の現場で壁又は天井の上に設置プロフィールを別個に設置することの代替形態として、天井又は壁の上に設置する準備の整ったパネルを提供することも可能であり、この場合、パネルがフレームを形成するように構成される設置プロフィールから構成され、本明細書で説明される本発明による設置プロフィール内に配置されるファブリック保持要素によりパネルの上で伸張状態のファブリックを装備する。
【００４９】
図１から図６に示される実施例では、第１のファブリック保持要素５は、第１のファブリック保持要素５と第１の設置プロフィール４との間にファブリック２の第１の縁部６を挟むことによりファブリック２の第１の縁部６を保持するように適合される。さらに、これらの実施例では、第１のファブリック保持要素５は、第１のファブリック保持要素５の第１の脚部７と第１の設置プロフィール４の対応する第１の支持面９との間にファブリック２の第１の縁部６を挟むことによりファブリック２の第１の縁部６を保持するように適合される。
【００５０】
一方、図７に示される実施例では、第１のファブリック保持要素５は、第１の縁部６と第１のファブリック保持要素５との間での単純な形での接続によりファブリック２の第１の縁部６を保持するように適合される。上記接続は、例えば、第１のファブリック保持要素５及び第１の縁部６のそれぞれの中にある糸で縫い付けられる貫通孔により、形成され得る。しかし、任意適切な接続手段が可能である。
【００５１】
さらに、図１から図６に示される実施例では、第１の設置プロフィール４の第１の支持面９及び第２の支持面１０は、第１の設置プロフィール４において第１の保持要素５をその中で保持するところのチャネル１６の第１の側壁１４及び第２の側壁１５によってそれぞれ形成されることから、第１の設置プロフィール４の第１の支持面９及び第２の支持面１０が互いの方を向いている、ことが分かる。第１の設置プロフィール４のチャネル１６の第１の側壁１４及び第２の側壁１５がチャネル１６の底部壁１７から延在し、チャネル１６の第１の側壁１４がさらにチャネル１６の第２の側壁１５と比較して底部壁１７からさらに離れるところまで延在し、第１の側壁１４の自由縁部１９のところでファブリック２を誘導するように適合された円形縁部１８を形成する。このような誘導が必要ないような場合、示される円形縁部１８がもちろん無くてもよく、このような事例では、チャネル１６が、単純に、壁又は天井に沿って延ばされるときのファブリック２の概略の平面の方向を向いていてよい、ことに留意されたい。
【００５２】
図３Ｂに示されるように、ファブリック保持要素５は、ファブリック取り付け位置に配置され得、ファブリック取り付け位置では、第１のファブリック保持要素５が第１の設置プロフィール４の中で脱着自在に保持される。図１から図３に示される実施例では、第１のファブリック保持要素５の第２の脚部８の自由端１２が第１の設置プロフィール４の凹部１３に当接することから、第１のファブリック保持要素５がファブリック取り付け位置で脱着自在に保持される。凹部１３は、第１の設置プロフィール４のチャネル１６の第２の側壁１５内に形成される。第１のファブリック保持要素５の第２の脚部８を押圧することにより、第２の脚部８が凹部１３から飛び出すことができ、それにより、第１のファブリック保持要素５がファブリック取り付け位置から解放される。
【００５３】
図４Ａ及び図４Ｂに示される実施例では、第１のファブリック保持要素５の第２の脚部８の外側に湾曲するフラップ３０が第１の設置プロフィール４のチャネル１６の第２の側壁１５の自由端に当接することから、第１のファブリック保持要素５がファブリック取り付け位置で脱着自在に保持される。
【００５４】
図５Ａ及び図５Ｂに示される実施例では、第１のファブリック保持要素５の第１の脚部７の自由端１１が第１の設置プロフィール４のチャネル１６の第１の側壁１４からの突出部３１に当接することから、第１のファブリック保持要素５がファブリック取り付け位置で着脱自在に保持される。
【００５５】
図１から図６に示される実施例では、チャネル１６の第１の側壁１４がチャネル１６の底部壁１７を基準として鋭角Ａを形成することが分かる。
【００５６】
図１から図６に示される実施例では、第１のファブリック保持要素５は略Ｖ形であり、その第１の脚部７及び第２の脚部８を接続する湾曲縁部２０を形成する。図１から図５に示される実施例では、第１のファブリック保持要素５の湾曲縁部２０が第１の設置プロフィール４のチャネル１６の外側の方を向いており、つまり図１に示されるテーパ方向Ｔの方向を向いている、ことが分かる。図６に示される実施例では、第１のファブリック保持要素５の湾曲縁部２０が第１の設置プロフィール４のチャネル１６の内側の方を向いており、つまりテーパ方向Ｔの反対側を向いている、ことが分かる。
【００５７】
図１から図４、及び図６に示される実施例では、湾曲縁部２０と第１の脚部７の自由端１１との両方が第１の設置プロフィール４の第１の支持面９に当接し、それにより第１の支持面９と共にファブリック２の第１の縁部６を挟むように適合される、ことと、第２の脚部８の自由端１２が第１の設置プロフィール４の第２の支持面１０に当接する、こととが分かる。
【００５８】
図５Ａ及び図５Ｂに示される実施例では、湾曲縁部２０と第１の脚部７の自由端１１との両方が第１の設置プロフィール４の第１の支持面９に当接する、ことと、第２の脚部８の自由端１２が第１の設置プロフィール４の第２の支持面１０に当接する、こととが分かる。しかし、示される状況では、湾曲縁部２０のみが第１の支持面９と共にファブリック２の第１の縁部６を挟む。これは、第１の脚部７の自由端１１を突出部３１に良好に当接させることを目的とする。
【００５９】
図１から図５に示される実施例では、ファブリック引張方向Ｆが、少なくとも、実質的に湾曲縁部２０から第１の脚部７の自由端１１の方を向いている、ことが分かる。さらに、これらの実施例では、第１のファブリック保持要素５の第１の脚部７は、その自由端１１と湾曲縁部２０との間において、第１の設置プロフィール４の第１の支持面９から離れるように湾曲しており（２１）、第１のファブリック保持要素５の第１の脚部７が第１のファブリック保持要素５の第２の脚部８より長い。さらに、これらの実施例では、第１のファブリック保持要素５の第２の脚部８が、その自由端１２と湾曲縁部２０との間において、第１の設置プロフィール４の第２の支持面１０から離れるように湾曲している（２２）。
【００６０】
図２に示されるように、少なくとも１つの第１のファブリック保持要素５は、有利には、第１の設置プロフィール４の長手方向Ｌに延びる長手方向ｌを有する板ばね２３の形態を有する。この実施例では、第１のファブリック保持要素５は、第１の脚部７を形成する第１の長手方向フランジ２４と、第２の脚部８を形成する第２の長手方向フランジ２５とを有し、第１の長手方向フランジ２４及び第２の長手方向フランジ２５が湾曲縁部２６に沿って接続される。好適には、複数の相互に離間される切欠部２７が板ばね２３の湾曲縁部２６の中に形成される。それにより、特には、板ばねが比較的長い場合では、切欠部２７が板ばね２３に一定の可撓性を付与することができ、それにより、例えば第１の長手方向フランジ２４を第２の長手方向フランジ２５の方向に押圧することにより板ばねをそのファブリック取り付け位置から解放するのを容易にし、その結果、第１の長手方向フランジが図１に示される凹部１３などの第１の設置プロフィールの中の適切な凹部との当接状態から飛び出す。その長手方向軸を中心として捻じれるための板ばね２３の能力により、有利には、この作業が容易となり得る。第１の設置プロフィール４は、任意適切な材料から任意適切な手法で形成され得る。適切なツールが１つ又は複数の切欠部２７の中に挿入される得ることから、切欠部２７は第１の設置プロフィール４から板ばね２３を取り外すのを容易にするようにも機能することができる。例えば、第１の設置プロフィール４は押出しアルミニウムのプロフィールであってよい。
【００６１】
図１から図３に示されるファブリック設置システムが壁又は天井に設置され得、図３Ａから図３Ｄの多様なステップで示されるようにファブリック２を延ばすのに使用され得る。最初に、図３Ａに示されるように、上で説明したように、少なくとも第１の設置プロフィール４が壁又は天井に設置される。第１のファブリック保持要素５は、チャネル１６の中に配置されていない場合、上で説明したように、また図３Ｂに示されるように、ファブリック取り付け位置において、第１の設置プロフィール４のチャネル１６の中に挿入されてチャネル１６に係合し得る。図３Ｃに示されるように、ファブリック２の第１の縁部６は、へら３２などの適切なツールにより、第１のファブリック保持要素５の第１の脚部７と第１の設置プロフィール４の第１の支持面９との間に押圧され得る。それにより、へら３２を取り外すとき、ファブリック２の第１の縁部６が、第１のファブリック保持要素５の第１の脚部７と第１の設置プロフィール４の第１の支持面９との間に挟まれてそれにより保持され得る。次いで、図３Ｄに示されるように、へら３２又は他のツールにより、第１のファブリック保持要素５の第２の脚部８の自由端１２が、チャネル１６の第２の側壁１５の凹部１３との係合状態から外されるように押圧され得る。それにより、第１のファブリック保持要素５の第１の脚部７及び第２の脚部８が弾性的に付勢されることにより、第１のファブリック保持要素５は、第１の設置プロフィール４の長手方向Ｌに対して横向きである、図１に示されるファブリック引張方向Ｆにおいて、第１の支持面９及び第２の支持面１０に沿って摺動するように付勢され、その結果、ファブリック２が伸張状態にされる。
【００６２】
上で説明及び例示される実例では、第１のファブリック保持要素５はＶ形又はＵ形であるが、第１のファブリック保持要素５は他の適切な形状を有してもよいことに留意されたい。例えば、第１の脚部７及び第２の脚部８は、それらの両端部のところで互いに接続されてもよく、その結果、閉じた形状が作られる。例として、第１の脚部７及び第２の脚部８の各々が管の半体を形成してもよく、ここでは、管が例えば円形又は楕円形の断面を有することができる。
【００６３】
さらに、図１から図６に示される実施例では、挿入方向が、第１の設置プロフィール４のチャネル１６の中に第１のファブリック保持要素５を挿入するように決められ得る、ことに留意されたい。この挿入方向は、概して、ファブリック引張方向Ｆの方向を、及び／又は図１で定義されるテーパ方向Ｔの反対方向を、程度の差はあれ、向いていてよい。
【符号の説明】
【００６４】
Ａ  チャネルの第１の側壁と底部壁との間の鋭角
Ｆ  ファブリック引張方向
Ｌ  第１の設置プロフィールの長手方向
ｌ  板ばねの長手方向
Ｔ  テーパ方向
１  ファブリック設置システム
２  ファブリック
３  壁又は天井
４  第１の設置プロフィール
５  第１のファブリック保持要素
６  ファブリックの第１の縁部
７  第１のファブリック保持要素の第１の脚部
８  第１のファブリック保持要素の第２の脚部
９  第１の設置プロフィールの第１の支持面
１０  第１の設置プロフィールの第２の支持面
１１  第１のファブリック保持要素の第１の脚部の自由端
１２  第１のファブリック保持要素の第２の脚部の自由端
１３  第１の設置プロフィールの凹部
１４  チャネルの第１の側壁
１５  チャネルの第２の側壁
１６  第１の設置プロフィールのチャネル
１７  チャネルの底部壁
１８  チャネルの第１の側壁の円形縁部
１９  第１の側壁の自由縁部
２０  第１のファブリック保持要素の湾曲縁部
２１  第１のファブリック保持要素の第１の脚部の湾曲
２２  第１のファブリック保持要素の第２の脚部の湾曲
２３  板ばね
２４  板ばねの第１の長手方向フランジ
２５  板ばねの第２の長手方向フランジ
２６  板ばねの湾曲縁部
２７  切欠部
２８  チャネルの第２の側壁からの突出部
２９  第１の設置プロフィールの中の設置用孔
３０  第１のファブリック保持要素の第２の脚部の外側に湾曲するフラップ
３１  チャネルの第１の側壁からの突出部
３２  へら
３３  第１のファブリック保持要素の脚部接続部分
３４  第１の設置プロフィールの設置部分
【図１】
2021518497.tif 000003
【図２】
2021518497.tif 000004
【図３Ａ】
2021518497.tif 000005
【図３Ｂ】
2021518497.tif 000006
【図３Ｃ】
2021518497.tif 000007
【図３Ｄ】
2021518497.tif 000008
【図４Ａ】
2021518497.tif 000009
【図４Ｂ】
2021518497.tif 000010
【図５Ａ】
2021518497.tif 000011
【図５Ｂ】
2021518497.tif 000012
【図６】
2021518497.tif 000013
【図７】
2021518497.tif 000014
【国際調査報告】
2021518497.tif 000015
2021518497.tif 000016